(57)【特許請求の範囲】
【請求項１】
ピン孔を有する外筒にピン孔と鍵穴とを有する内筒を回動自在に嵌装し、前記外筒のピン孔にバネで内筒側へ付勢した上ピンを、内筒のピン孔に下ピンをそれぞれ摺動可能に嵌装し、この上下両ピンの境界線が外筒と内筒との境界線であるシェアラインに一致するときに内筒の回動を可能としたピンシリンダー錠において、
前記内筒の鍵穴に合鍵以外の部材を差し込んで回転力を付与したときに、下ピンと合鍵以外の部材とは離間して非接触状態となるように隙間を形成する非接触状態保持機構を設け、
前記非接触状態保持機構として、下ピンは、円柱状に形成して、その下ピンの一部に傾斜面を形成する一方、該下ピンが摺動される内筒のピン孔には係合部を形成し、合鍵以外の部材を内筒の鍵穴に差し込んで内筒に回転力を付与した時に、該内筒の係合部が前記下ピンの傾斜面を押し上げて、下ピンと合鍵以外の部材との接触面同士が非接触状態となるように隙間を形成するようにしてあることを特徴とするピンシリンダー錠。
【発明の詳細な説明】
【０００１】
【発明の属する技術分野】
本発明は、合鍵以外の部材を鍵穴に差し込んで、上ピンと下ピンとの境界線が内筒と外筒との境界線であるシェアラインに一致しない状態において、内筒にその回動方向に力を作用させた時、下ピンは外筒と内筒とに挟まれた（つまりシェアラインと交差した）状態となり上下方向に作動できないときでも、前記合鍵以外の部材の接触面に下ピンとの圧接により痕跡が形成されないようにしたピンシリンダー錠に関する。
【０００２】
【従来の技術】
従来のピンシリンダー錠では、合鍵以外の部材を鍵穴に差し込んで、上ピンと下ピンとの境界線が内筒と外筒との境界線であるシェアラインに一致しない状態において、内筒にその回動方向に力を作用させると、下ピンが外筒と内筒とに挟まれた状態となり上下方向に作動できない固定状態となった。この状態で前記合鍵以外の部材を強く掴んだまま梃子の作用で上下方向に何度も抉ると、固定された下ピンと接触する合鍵以外の部材の接触面に、下ピンとの圧接による痕跡が形成されるようになる。
【０００３】
前記合鍵以外の部材として、例えば、鍵山が全く形成されていない生鍵（ブランクキー）を用いた場合について以下に説明する。この生鍵（ブランクキー）を内筒の鍵穴に差し込んで、上記の方法で該生鍵と下ピンとの接触面に痕跡を形成させる。そして、その痕跡をヤスリ等で少しずつ削っていく。それを繰り返していくうちに、痕跡が残らない状態になり、生鍵を削って形成した鍵山の高さが正規な合鍵の鍵山の高さと一致する状態に到達する。すると、この状態では、上ピンと下ピンとの境界線が外筒と内筒とのシェアラインに一致するから、内筒は下ピンと共に回動可能状態となり、この状態にある下ピンは固定状態とはならない。下ピンが固定されないと、前記方法によって生鍵を抉ても下ピンとの接触面に痕跡は形成されなくなる。
【０００４】
例えば、上ピンと下ピンとが６個所（コラム）設けてある、所謂６本シリンダー錠では、前記の方法を６個所分だけ繰り返すことにより生鍵（ブランクキー）の６個所に正規の合鍵の鍵山と同じ高さの鍵山を形成することができる。
【０００５】
【発明が解決しようとする課題】
このようにして、従来では、生鍵などの合鍵以外の部材に下ピンの痕跡が形成されなくなるまで、その痕跡を少しずつ削って行くことによって、正規の合鍵の鍵山と同じ高さの鍵山を形成することができる。従って、合鍵がなくても、生鍵から正規な合鍵と同じ合鍵を作成することができた。この合鍵作成方法が、正しい目的のために使用されればよいが、悪用される危険もあるという問題点があった。
【０００６】
本発明は、上記従来の問題点を解消しようとするものであって、合鍵を複製されて悪用される危険のない防犯性に優れたピンシリンダー錠を提供することを目的とする。
【０００７】
【課題を解決するための手段】
上記目的を達成するため、本発明のピンシリンダー錠は、ピン孔を有する外筒にピン孔と鍵穴とを有する内筒を回動自在に嵌装し、前記外筒のピン孔にバネで内筒側へ付勢した上ピンを、内筒のピン孔に下ピンをそれぞれ摺動可能に嵌装し、この上下両ピンの境界線が外筒と内筒との境界線であるシェアラインに一致するときに内筒の回動を可能としたピンシリンダー錠において、
前記内筒の鍵穴に合鍵以外の部材を差し込んで回転力を付与したときに、下ピンと合鍵以外の部材とは離間して非接触状態となるように隙間を形成する非接触状態保持機構を設け、
前記非接触状態保持機構として、下ピンは、円柱状に形成して、その下ピンの一部に傾斜面を形成する一方、該下ピンが摺動される内筒のピン孔には係合部を形成し、合鍵以外の部材を内筒の鍵穴に差し込んで内筒に回転力を付与した時に、該内筒の係合部が前記下ピンの傾斜面を押し上げて、下ピンと合鍵以外の部材との接触面同士が非接触状態となるように隙間を形成するようにしてあることを特徴とする。
【０００８】
ここで、合鍵以外の部材とは、鍵山が全く形成されていない生鍵（ブランクキー）、その他合鍵の鍵山を複製して正規な合鍵と同じ鍵として作成できる部材をいう。
【０００９】
また、非接触状態保持機構とは、合鍵以外の部材を内筒の鍵穴に差し込んで、上下・左右その他の方向に揺動して回転力を付与したときに、下ピンと合鍵以外の部材の接触部同士が離間して接触しないようになるものであればよい。
【００１０】
例えば、非接触状態保持機構として下ピンは、円柱状に形成して、その下ピンの一部に傾斜面を形成する一方、該下ピンが摺動される内筒のピン孔には係合部を形成し、合鍵以外の部材を内筒の鍵穴に差し込んで内筒に回転力を付与した時に、該内筒の係合部が前記下ピンの傾斜面を押し上げて、下ピンと合鍵以外の部材との接触面同士が非接触状態となるように隙間を形成するようにしてある場合、下ピンの傾斜面と内筒のピン孔に形成した係合部とによって、下ピンと合鍵以外の部材との接触面同士が非接触状態になる時点は、合鍵以外の部材を鍵穴に差し込んで回転力を付与した第一回目の時点でもよく、又は第二回目から正規な合鍵の鍵山が完全に複製し終わる前の回目までの中途時点でもよい。
【００１１】
前記の如く、合鍵以外の部材の回転力によって下ピンを押し上げるための具体的構成は、上記構成のほか、下ピンの構造と内筒のピン孔の構造との相関関係により、適宜設計変更できるものである。本発明では、前述のように、合鍵以外の部材により回転力を付与した初期又は中途の時点で、下ピンを押し上げる構造に限定されず、例えば、正規な合鍵の鍵山が複製できないように、合鍵以外の部材による複製行為中の任意時点で下ピンが内筒のピン孔の任意個所に係止又は保持されて、合鍵以外の部材の接触面に下ピンの痕跡を残さない構成であってもよく、任意である。
【００１２】
非接触状態保持機構は、上ピンと下ピンとを１組として複数組のピン群を有するピンシリンダー錠において、少なくとも１個以上の下ピンの接触面が、合鍵以外の部材を鍵穴に差し込んで回転したときに、該下ピンと合鍵以外の部材とが離間して非接触状態となればよい。
【００１３】
【実施例１】
本発明の実施例１を図１〜図８に基づいて以下に説明する。
このピンシリンダー錠は、図１、図２に示すように、ピン孔２ａ、２ｂ、２ｃ、２ｄ、２ｅ、２ｆを有する外筒１に、ピン孔６ａ、６ｂ、６ｃ、６ｄ、６ｅ、６ｆと鍵穴８とを有する内筒５を回動自在に嵌装し、前記ピン孔２ａ〜２ｆにはバネ３…３で内筒５側へ付勢した上ピン４ａ、４ｂ、４ｃ、４ｄ、４ｅ、４ｆを、ピン孔６ａ〜６ｆには下ピン７ａ、７ｂ、７ｃ、７ｄ、７ｅ、７ｆをそれぞれ摺動可能に嵌装している。
【００１４】
そして、図１に示すように、正規な合鍵Ｋを内筒５の鍵穴８に差し込んだときに、上下両ピン４ａ〜４ｆ、７ａ〜７ｆの境界線９ａ〜９ｆが、外筒１と内筒５との境界線であるシェアラインＬに一致するときに内筒５の回動ができ、内筒の回動によって施解錠部材（図示せず）を作動させて施解錠できるようにしてなるものである。
【００１５】
従来のピンシリンダー錠における下ピン群は、図１の第２コラムの下ピン７ｂや第３コラムの下ピン７ｃの如く、全部が円柱状に形成されているため、上記従来技術で説明したように、合鍵以外の部材〔生鍵（ブランクキー）など〕ＢＫを鍵穴に差し込んで、図２のような状態で前記合鍵以外の部材ＢＫを内筒の回動方向に力を作用させながら、上下方向に何度も抉ると、合鍵以外の部材ＢＫの接触面に下ピンの圧接による痕跡が形成される。この痕跡を前述したようにヤスリ等で削って行くことによって、正規の合鍵Ｋの鍵山Ｋ１〜Ｋ６と同じ高さの鍵山が形成でき、合鍵以外の部材ＢＫから正規な合鍵Ｋと同じ合鍵が作成できるという、問題があった。
【００１６】
そこで、本発明では、内筒５の鍵穴８に、例えば鍵山が全く形成されていない生鍵（ブランクキー）などの合鍵以外の部材ＢＫを差し込んで内筒に回転力を付与したときに、下ピン７ａ、７ｄ、７ｅ、７ｆと合鍵以外の部材ＢＫとは離間して非接触状態となるように隙間を形成する非接触状態保持機構１０を設けてなるものである。
この場合、内筒５の鍵穴８に合鍵以外の部材ＢＫを差し込んだだけの状態においては、図２に示すように、各上下両ピン４ａ〜４ｆ、７ａ〜７ｆの境界線９ａ〜９ｆが、外筒１と内筒５との境界線であるシェアラインＬに一致していないので、内筒５を前記合鍵以外の部材ＢＫで回動することはできない。
【００１７】
非接触状態保持機構１０について以下に詳細に説明する。
この実施例１における非接触状態保持機構１０…１０は、図１及び図２に示すように、第１コラムの下ピン７ａ、第４コラムの下ピン７ｄ、第５コラムの下ピン７ｅ、第６コラムの下ピン７ｆの４個所に設けてあり、第２コラムの下ピン７ｂと第３コラムの下ピン７ｃの２個所は前述したように公知の従来ピンである。
【００１８】
前記４個所の非接触状態保持機構１０、１０、１０、１０は、いずれも、下ピン７ａ、７ｄ、７ｅ、７ｆを、円柱状に形成して、その下ピン７ａ、７ｄ、７ｅ、７ｆの一部に傾斜面１２…１２を有する小径の段差部１１…１１を形成する一方、該下ピン７ａ、７ｄ、７ｅ、７ｆが摺動される内筒５のピン孔６ａ、６ｄ、６ｅ、６ｆの入口（内筒側の開口部）には、合鍵以外の部材ＢＫを内筒５の鍵穴８に差し込んで回転力を付与した時に、前記下ピン７ａ、７ｄ、７ｅ、７ｆの傾斜面１２…１２を押し上げて、下ピン７ａ、７ｄ、７ｅ、７ｆと合鍵以外の部材ＢＫとの接触面１３、１４同士が非接触状態となるようにした係合部１５…１５を形成してある点で共通する。この場合の係合部１５…１５は、略漏斗状とした内筒５のピン孔６ａ、６ｄ、６ｅ、６ｆの入口（内筒側の開口部）位置にあって大径部１６から下方の下り傾斜面部位が担っている。
【００１９】
前記４個所の非接触状態保持機構１０…１０のうち、第４コラムの下ピン７ｄと第５コラムの下ピン７ｅとは同一態様を示し、第１コラムの下ピン７ａと第６コラムの下ピン７ｆとは同一態様を示している。
【００２０】
非接触状態保持機構１０の第５コラムの下ピン７ｅについて図３〜図４、図２に基づいて以下に説明する。
この場合の下ピン７ｅの段差部１１に形成した傾斜面１２と、下ピン孔６ｅ、６ｄの入口（内筒側の開口部）に形成した係合部１５とは、図３と図２に示すように、合鍵以外の部材ＢＫを鍵穴８に差し込んだ状態で、殆ど接触する程に接近しているとともに、該合鍵以外の部材ＢＫの接触面１４と下ピン７ｅの接触面１３とは接触している。
【００２１】
図３、図２の状態で、合鍵以外の部材ＢＫに回転力を付与すると、図４に示すように、内筒５は回転されて内筒５の係合部１５が、下ピン７ｅの傾斜面１２を押し上げて、下ピン７ｅと合鍵以外の部材ＢＫとの接触面１３、１４同士が非接触状態となるように離間して隙間Ｓが生じる。そのため、合鍵以外の部材ＢＫの接触面１４に下ピン７ｅの痕跡が残らないから、痕跡部分をヤスリ等で削ることができず、正規な合鍵の鍵山を作ることができない。従って、合鍵以外の部材から合鍵を複製することはできない。
第４コラムの下ピン７ｄについても同様である。
これにより、合鍵以外の部材ＢＫにより回転力を付与した初期の時点で、下ピン７ｅ、７ｄを押し上げて合鍵以外の部材ＢＫの接触面１４に痕跡を全く残さない。
【００２２】
非接触状態保持機構１０の第６コラムの下ピン７ｆについて図６〜図８、図２に基づいて以下に説明する。
この場合の下ピン７ｆの段差部１１に形成した傾斜面１２と、内筒５のピン孔６ｆの入口（内筒側の開口部）に形成した係合部１５とは、図６と図２に示すように、合鍵以外の部材ＢＫを鍵穴８に差し込んだ状態で図３〜図５の場合と比較して、かなり離間している。そのため、図６と図２の状態では、合鍵以外の部材ＢＫに回転力を付与した場合、内筒５のピン孔６ｆの大径部１６が下ピン７ｆの大径部に当接するので、下ピン７ｆが内筒５と外筒１とに挟まれた状態となり固定される。従って、合鍵以外の部材ＢＫを、回転力を付与したまま上下方向に抉ると、合鍵以外の部材ＢＫの接触面１４には下ピン７ｆの痕跡が残り、この痕跡をヤスリ等で削ることができる。次に、図７は、上記痕跡部をヤスリで削って痕跡の深さ２０を形成した合鍵以外の部材ＢＫを鍵穴８に差し込んだ状態を示す。この場合下ピン７ｆの傾斜面１２と、内筒のピン孔６ｆの入口（内筒側の開口部）の係合部１５とは図７に示すように、殆ど接触する程に接近している。
【００２３】
図７の状態で、合鍵以外の部材ＢＫに回転力を付与すると、図８に示すように、内筒５も回転されて内筒５の係合部１５が下ピン７ｆの傾斜面１２を押し上げて、下ピン７ｆと合鍵以外の部材ＢＫとの接触面１３、１４同士が非接触状態となるように離間して隙間Ｓが生じる。そのため、合鍵以外の部材ＢＫの接触面１４に下ピン７ｆの痕跡が残らないから、痕跡部分をヤスリ等で削ることができず、正規な合鍵の鍵山を作ることができない。従って、合鍵以外の部材から合鍵を複製することはできない。
【００２４】
第１コラムの下ピン７ａについても、同様である。
【００２５】
この非接触状態保持機構１０の第６コラムの場合（図６〜図８）によれば、合鍵以外の部材を鍵穴に差し込んで回転力を付与した少なくとも初回目には、該合鍵以外の部材の接触面に痕跡が残り複製行為が行なえる。しかし、初回目に形成された痕跡を削った後、回転力付与の２回目以降の複製加工途中で、内筒５のピン孔の入口（内筒側の開口部）の係合部１５が、内筒５のピン孔７ｆ、７ａの段差部１１に形成した傾斜面１２と係合して該下ピン７ｆ、７ａを押し上げて、下ピンと合鍵以外の部材ＢＫの接触面１４とが離間し隙間Ｓを形成する。そのため、複製加工が行なえないようになるものである。
【００２６】
非接触状態保持機構１０は、前述のものに限定されるものではなく、例えば下ピンの段差部１１や内筒５の下ピン孔の入口近傍の形状を変えることにより、適宜設計変更できるものである。例えば、図９や、図１０〜図１２に示す実施例２および３のものでもよい。
【００２７】
【実施例２】
図９は本発明の実施例２を示し、非接触状態保持機構１０の図３〜図５の変形例と言えるものである。この図９では、内筒５のピン孔６ａ〜６ｆの入口（内筒側の開口部）が、図３の如く大径部１６を有する座ぐりを形成していないものであって、大径部１６と同一径からなる円筒部の一部を形成している点と、下ピン７ａ〜７ｆに形成した小径の段差部１１を図３に比べて上部に形成して、その傾斜面１２と、内筒５のピン孔の入口端縁が形成する係合部１５とを、合鍵以外の部材ＢＫを鍵穴８に差し込んだ状態では図３の如く殆んど接触する程に接近させ、前記合鍵以外の部材ＢＫに回転力を付与すると、図９の如く内筒５も回転されて係合部１５が下ピンの傾斜面１２と係合して押し上げられて、下ピンと合鍵以外の部材ＢＫとの接触面１３、１４同士が非接触状態となるように離間して隙間Ｓが生じ、合鍵以外の部材ＢＫの接触面１４に下ピンの痕跡が残らないため、図４、図５の場合と同様に正規の合鍵の鍵山を作ることができない。
【００２８】
【実施例３】
図１０〜図１２は本発明の実施例３を示し、非接触状態保持機構１０の図３〜図５のものと図６〜図８のものの両者の機能を有するものである。すなわち、図１０〜図１２の場合、下ピン７ａ〜７ｆに二段の段差部１１、１１を形成して傾斜面１２、１２を２個設け、下部の傾斜面１２と、内筒５のピン孔６ａ〜６ｆの入口（内筒側の開口部）の座ぐりに形成した係合部１５とは、図１０に示すように、合鍵以外の部材ＢＫを鍵穴８に差し込んだ状態で、殆んど接触する程に接近しているとともに、上部の傾斜面１２と前記係合部１５とは、図１０に示す状態で、かなり離間している。
【００２９】
合鍵以外の部材（生鍵）ＢＫを鍵穴８に差し込み回転力を付与していない図１０の状態で、合鍵以外の部材ＢＫに回転力を付与すると、図４と同様に、内筒５も回転されて内筒５の係合部１５が、下ピン７ａ〜７ｆの上部の傾斜面１２を押し上げて、下ピン７ａ〜７ｆと合鍵以外の部材ＢＫとの接触面１３、１４同士が非接触状態となるように離間して隙間Ｓが生じる。そのため、合鍵以外の部材ＢＫの接触面１４に下ピン７ａ〜７ｆの痕跡が残らないから、痕跡部分をヤスリ等で削ることができず、正規な合鍵の鍵山を作ることができない。従って、合鍵以外の部材から合鍵を複製することはできない。これにより、合鍵以外の部材ＢＫにより回転力を付与した初期の時点で、下ピンを押し上げて合鍵以外の部材ＢＫの接触面１４に痕跡を全く残させない。
【００３０】
図１１の状態で、合鍵以外の部材ＢＫに回転力を付与すると、図１２に示すように、内筒５も回転されて内筒５の係合部１５が、下ピンの上部の傾斜面１２を押し上げて、下ピンと合鍵以外の部材ＢＫとの接触面１３、１４同士が非接触状態となるように離間して隙間Ｓが生じる。そのため、合鍵以外の部材ＢＫの接触面１４に下ピンの痕跡が残らないから、痕跡部分をヤスリ等で削ることができず、正規な合鍵の鍵山を作ることができない。従って、合鍵以外の部材から合鍵を複製することはできない。
【００３１】
【実施例４】
本発明の実施例４を図１３〜図１９に基づいて以下に説明する。
このピンシリンダー錠は、上・左右の３方向のコラムに上・下両ピンからなるピン群を配設するとともに、合鍵Ｋは図１３〜図１５に示すように上下・左右にディンプル状の鍵山Ｋ１０〜Ｋ１６…を形成した点に特徴を有し、合鍵Ｋによる施・解錠の原理は前記実施例１と同様である。
【００３２】
このピンシリンダー錠は、外筒１に内筒５を回動自在に嵌装し、外筒１には、上・左右の３方向にピン孔２ｈ、２ｉ、２ｊ、２ｋ、２ｌ、２ｍ、２ｐ、２ｑ、２ｒを形成して、該ピン孔２ｈ〜２ｒにバネ３…３で内筒５側へ付勢した上ピン４ｈ、４ｉ、４ｊ、４ｋ、４ｌ、４ｍ、４ｐ、４ｑ、４ｒを摺動可能に嵌装している。また、内筒５には、上・左右の３方向に前記外筒１のピン孔２ｈ〜２ｒと貫通する内筒５のピン孔６ｈ、６ｉ、６ｊ、６ｋ、６ｌ、６ｍ、６ｐ、６ｑ、６ｒを形成して、該内筒５のピン孔６ｈ〜６ｒに下ピン７ｈ、７ｉ、７ｊ、７ｋ、７ｌ、７ｍ、７ｐ、７ｑ、７ｒを摺動可能に嵌装しているとともに、鍵穴８を形成している。
この実施例４では、上・左右の３方向のそれぞれのコラムを３個ずつ形成しているが、４個以上ずつのコラム数としてもよく任意である。
【００３３】
そして、図１３、図１４に示すように、図１５に示す如き正規な合鍵Ｋを内筒５の鍵穴８に差し込んだときに、上下両ピン群４ｈ〜４ｒ、７ｈ〜７ｒの境界線９ｈ〜９ｒが、外筒１と内筒５との境界線であるシェアラインＬに一致するときに内筒５の回動ができ、内筒５の回動によって施解錠部材（図示せず）を作動させて施解錠できるようにしてなるものである。
【００３４】
この実施例４では、各下ピンが挿入される内筒５のピン孔６ｈ〜６ｒの入口（内筒側の開口部）は、図１〜図８の実施例１と同様に大径部１６の座ぐりが形成されているとともに、下ピン７ｉ、７ｊ、７ｋ、７ｑは従来の形状のもので合鍵の複製防止対策は採られていないものであり、下ピン７ｈ、７ｌ、７ｍ、７ｐ、７ｒは、内筒５の鍵穴８に、鍵山が全く形成されていない生鍵（ブランクキー）などの合鍵以外の部材ＢＫを差し込んで内筒に回転力を付与しながら上下方向に抉ったときに、該下ピン７ｈ、７ｌ、７ｍ、７ｐ、７ｒと合鍵以外の部材ＢＫとは離間して非接触状態となるようにした非接触状態保持機構１０を構成するものであって、合鍵の複製防止対策が採られているものである。
【００３５】
合鍵の複製防止対策が採られている上記下ピン７ｈ、７ｌ、７ｍ、７ｐ、７ｒは、いずれも、二段の段差部１１、１１を形成して傾斜面１２、１２を２個所形成してある点で共通する。
【００３６】
しかし、上記下ピンのうち、下ピン７ｈ、７ｍ、７ｐは、実施例１の下ピン７ｄ、７ｅと同様に、合鍵以外の部材ＢＫを鍵穴８に差し込んだ状態において、上部の傾斜面１２と、内筒５のピン孔６ｈ、６ｍ、６ｐの入口（内筒側の開口部）の座ぐりに形成した係合部１５とは殆んど接触する程に接近しており、非接触状態保持機構１０としては前記実施例１の下ピン７ｄ、７ｅと同様に作動する。
【００３７】
下ピン７ｌ、７ｒは、実施例１の下ピン７ａ、７ｆと同様に、合鍵以外の部材ＢＫを鍵穴８に差し込んだ状態において、上部の傾斜面１２と、内筒５のピン孔６ｌ、６ｒの入口（内筒側の開口部）の座ぐりに形成した係合部１５とはかなり離間しており、非接触状態保持機構１０としては前記実施例１の下ピン７ａ、７ｆと同様に作動する。
【００３８】
この場合、内筒５の鍵穴８に合鍵以外の部材ＢＫを差し込んでだけの状態においては、図１６〜図１８に示すように、少なくとも合鍵の複製防止対策が採られた各上下両ピン４ｈ〜４ｒ、７ｈ〜７ｒの境界線９ｈ〜９ｒが、外筒１と内筒５との境界線であるシェアラインＬに一致していないので、内筒５を前記合鍵以外の部材ＢＫで回動することはできない。
【００３９】
図１６〜図１８の状態で、合鍵以外の部材ＢＫを回転すると、図１９に示すように、実施例１の下ピンに相当する下ピン７ｈ、７ｍ、７ｐは、前記実施例１の下ピン７ｄ、７ｅと同様に作動して、合鍵以外の部材ＢＫの接触面１４に下ピン７ｈ、７ｍ、７ｐの痕跡が残らないから、痕跡部分をヤスリ等で削ることができず、正規な合鍵の鍵山を作ることができない。従って、合鍵以外の部材から合鍵を複製することはできない。
【００４０】
一方、実施例１の下ピン７ａ、７ｆに相当する下ピン７ｌ、７ｒは、前記実施例１の図６〜図８と同様に、合鍵以外の部材ＢＫを鍵穴８に差し込んで回転力を付与した少なくとも初回目には、該合鍵以外の部材の接触面に痕跡が残り複製行為が行なえる。しかし、回転力付与の２回目以降の複製加工途中で、複製加工が行なえないようになるものである（図１９参照）。従って、痕跡部分をヤスリ等で削ることができず、正規な合鍵の鍵山を作ることができないため、合鍵以外の部材から合鍵を複製することはできないのである。
【００４１】
なお、図１９は、合鍵以外の部材ＢＫの接触面１４への痕跡部をヤスリ等で削って深さ２０を形成した合鍵以外の部材ＢＫを内筒５に差し込んだ状態と、各下ピン７ｈ、７ｌ、７ｐと合鍵以外の部材ＢＫとの接触面１３、１４同士が非接触状態となるように離間して隙間Ｓが生じている状態を示している。
【００４２】
【変形例等】
本発明は、上ピンと下ピンとを１組として複数組のピン群（コラム）が、実施例１のように内筒及び外筒の軸方向と垂直方向に一列に配置されたもの、実施例２のように内筒及び外筒の軸方向と垂直方向に三列に配置されたものに限定されず、二列又は四列に配置されたものにも適用できる。また、複数組のピン群（コラム）の個数は任意である。
【００４３】
非接触状態保持機構１０は、複数組のピン群（コラム）の少なくとも１つの下ピンに設けてあればよいが、２つ以上でもよいし、或いは全部の下ピンに設けてもよい。
【００４４】
係合部１５が傾斜面１２に係合して該当の下ピンの下動を阻止する位置は、正規な合鍵Ｋの鍵山の深さ等を考慮して設計するとよい。
【００４５】
【発明の効果】
請求項１のピンシリンダー錠によれば、内筒の鍵穴に合鍵以外の部材を差し込んで回転力を付与したときに、下ピンと合鍵以外の部材とは離間して非接触状態となるように隙間を形成する非接触状態保持機構を設けているから、前記合鍵以外の部材を回転することにより、該合鍵以外の部材の接触面に下ピンとの圧接による痕跡を形成することができないため、合鍵以外の部材から正規な合鍵を複製されることがなく、防犯性に優れたピンシリンダー錠を提供することができる。
より具体的に言うと、本発明は、前記非接触状態保持機構として、下ピンは、円柱状に形成して、その下ピンの一部に傾斜面を形成する一方、該下ピンが摺動される内筒のピン孔には係合部を形成し、合鍵以外の部材を内筒の鍵穴に差し込んで内筒に回転力を付与した時に、該内筒の係合部が前記下ピンの傾斜面を押し上げて、下ピンと合鍵以外の部材との接触面同士が非接触状態となるように隙間を形成するようにしてある。つまり、下ピンの一部に形成した傾斜面と、内筒のピン孔に形成した係合部とで非接触状態保持機構を構成しているから、下ピンの形状と内筒のピン孔の形状とを工夫するだけで非接触状態保持機構が作成できるため、特別な部材は不要で構造が簡単である。
【図面の簡単な説明】
【図１】  本発明の実施例１を示し、合鍵を鍵穴に差し込んだ状態のピンシリンダー錠の全体の縦断面図である。
【図２】  本発明の実施例１において、合鍵以外の部材（生鍵）を鍵穴に差し込んだ状態のピンシリンダー錠の全体の縦断面図である。
【図３】  図２の第５コラムを示し合鍵以外の部材（生鍵）が非回転状態の縦断面図である。
【図４】  図３の状態より合鍵以外の部材（生鍵）が回転されて、合鍵以外の部材（生鍵）の接触面が下ピンと接触していない状態を示す縦断面図である。
【図５】  図２の第４コラムを示し合鍵以外の部材（生鍵）が回転されて、合鍵以外の部材（生鍵）の接触面が下ピンと接触していない状態を示す縦断面図である。
【図６】  図２の第６コラムを示し合鍵以外の部材（生鍵）が非回転状態の縦断面図である。
【図７】  図６の状態で合鍵以外の部材（生鍵）の接触面に生じた下ピンの痕跡を削った後に、更に合鍵以外の部材（生鍵）を鍵穴に差し込み回転力を付与していない状態の第６コラムの縦断面図である。
【図８】  図７の状態より合鍵以外の部材（生鍵）が回転されて、合鍵以外の部材（生鍵）の接触面が下ピンと接触していない状態を示す縦断面図である。
【図９】  本発明の実施例２の縦断面図である。
【図１０】  本発明の実施例３で合鍵以外の部材（生鍵）を鍵穴に差し込み回転力を付与していない状態を示す縦断面図である。
【図１１】  図１０で合鍵以外の部材（生鍵）を回転した後に生じた痕跡を削って、同合鍵以外の部材を鍵穴に再度挿入した状態を示す縦断面図である。
【図１２】  図１１の状態で合鍵以外の部材（生鍵）を回転した状態を示す縦断面図である。
【図１３】  本発明の実施例４を示し、正規な合鍵を鍵穴に差し込んだ状態のピンシリンダー錠の全体の水平断面図である。
【図１４】  図１３のＡーＡ線断面図である。
【図１５】  本発明の実施例４における正規な合鍵の正面図である。
【図１６】  本発明の実施例４において、合鍵以外の部材（生鍵）を鍵穴に差し込んだ状態のピンシリンダー錠の全体の縦断面図である。
【図１７】  本発明の実施例４において、合鍵以外の部材（生鍵）を鍵穴に差し込んだ状態のピンシリンダー錠の全体の水平断面図である。
【図１８】  図１７のＢーＢ線断面図である。
【図１９】  図１８の状態より合鍵以外の部材（生鍵）が回転されて、合鍵以外の部材（生鍵）の接触面が下ピンと接触していない状態を示す縦断面図である。
【符号の説明】
１      外筒
２ａ〜２ｆ  ピン孔
２ｈ、２ｉ、２ｊ、２ｋ、２ｌ、２ｍ、２ｐ、２ｑ、２ｒ  ピン孔
３      バネ
４ａ〜４ｆ  上ピン
４ｈ、４ｉ、４ｊ、４ｋ、４ｌ、４ｍ、４ｐ、４ｑ、４ｒ  上ピン
５      内筒
６ａ〜６ｆ  ピン孔
６ｈ、６ｉ、６ｊ、６ｋ、６ｌ、６ｍ、６ｐ、６ｑ、６ｒ  ピン孔
７ａ〜７ｆ  下ピン
７ｈ、７ｉ、７ｊ、７ｋ、７ｌ、７ｍ、７ｐ、７ｑ、７ｒ  下ピン
８      鍵穴
９ａ〜９ｆ  上下両ピンの境界線
９ｈ、９ｉ、９ｊ、９ｋ、９ｌ、９ｍ、９ｐ、９ｑ、９ｒ  上下両ピンの境界線
１０    非接触状態保持機構
１１    段差部
１２    傾斜面
１３    接触面
１４    接触面
１５    係合部
２０    痕跡の深さ
Ｋ      合鍵
ＢＫ    合鍵以外の部材（生鍵）
Ｌ      シェアライン
Ｓ      隙間
【図１】
0004145483.tif 000002
【図２】
0004145483.tif 000003
【図３】
0004145483.tif 000004
【図４】
0004145483.tif 000005
【図５】
0004145483.tif 000006
【図６】
0004145483.tif 000007
【図７】
0004145483.tif 000008
【図８】
0004145483.tif 000009
【図９】
0004145483.tif 000010
【図１０】
0004145483.tif 000011
【図１１】
0004145483.tif 000012
【図１２】
0004145483.tif 000013
【図１３】
0004145483.tif 000014
【図１４】
0004145483.tif 000015
【図１５】
0004145483.tif 000016
【図１６】
0004145483.tif 000017
【図１７】
0004145483.tif 000018
【図１８】
0004145483.tif 000019
【図１９】
0004145483.tif 000020